(57)【特許請求の範囲】
【請求項１】
プラグ側基板に実装された状態で、ベース側基板に実装されたベースコネクタに接続されるプラグコネクタであって、
前記プラグ側基板に固定されるハウジングと、
前記プラグ側基板に前記ハウジングが固定されたときに前記プラグ側基板が通過するための通過領域と、
前記ハウジングに支持されるコンタクトと、
を備え、
前記コンタクトは、前記ベースコネクタのコンタクトに接触するための接触部を有し、
前記接触部は、前記プラグコネクタにおける前記ベースコネクタと前記プラグコネクタとが向かい合って接続される方向である対向方向と直交する幅方向に関して、前記通過領域の外側に配置され、
前記ハウジングには、前記通過領域を構成するプラグ側挿入案内部が形成されており、
前記プラグ側挿入案内部は、前記対向方向の両側が開放されているとともに前記プラグ側基板を前記幅方向に挟むように配置されていることを特徴とする、プラグコネクタ。
【請求項２】
請求項１に記載のプラグコネクタであって、
前記接触部は、前記通過領域と前記幅方向に沿って横並びに配置されていることを特徴とする、プラグコネクタ。
【請求項３】
請求項１または請求項２に記載のプラグコネクタであって、
前記ハウジングを前記プラグ側基板に固定するための固定部材をさらに備え、
前記固定部材は、前記対向方向における前記ハウジングの両端部に設けられていることを特徴とする、プラグコネクタ。
【請求項４】
請求項１〜請求項３の何れか１項に記載のプラグコネクタであって、
前記ハウジングは、所定の介在部を有し、
前記介在部は、前記プラグ側基板に前記ハウジングが固定されたときに前記プラグ側基板の縁部に沿って配置され、且つ、前記プラグコネクタの前記コンタクトのうち前記ハウジングから突出している部分および前記ベースコネクタのコンタクトの少なくとも一方と前記縁部との間に配置されることを特徴とする、プラグコネクタ。
【請求項５】
請求項１〜請求項４の何れか１項に記載のプラグコネクタと、
前記プラグ側基板と、
を備え、
前記プラグ側基板は、前記対向方向に細長く延びる細長部を有し、
前記細長部は、当該細長部のうち前記対向方向に沿って延びる縁部に切欠部が形成された切欠部領域を有し、この切欠部領域が、前記通過領域を通過するように配置されていることを特徴とする、プラグコネクタユニット。
【請求項６】
請求項１〜請求項４の何れか１項に記載のプラグコネクタと、
前記ベースコネクタと、を備え、
前記ベースコネクタのハウジングに形成され、前記プラグコネクタの前記ハウジングおよび前記プラグ側基板の少なくとも一方を前記幅方向に挟むように配置されるベース側挿入案内部を、更に有していることを特徴とする、コネクタ装置。
【発明の詳細な説明】
【技術分野】
【０００１】
本発明は、プラグコネクタ、プラグコネクタユニット、および、コネクタ装置に関する。
【背景技術】
【０００２】
たとえば、液晶表示装置などに備えられるバックライト装置は、複数の基板をコネクタで接続した構成を有している。複数の基板をコネクタで接続する構成として、プラグコネクタとベースコネクタとを有する構成が知られている（たとえば、特許文献１参照）。
【先行技術文献】
【特許文献】
【０００３】
【特許文献１】特開２００３−３３８３４２号公報
【発明の概要】
【発明が解決しようとする課題】
【０００４】
たとえば、ベースコネクタは、ベース側基板の表面に実装されている。プラグコネクタは、プラグ側基板の表面に実装されている。各基板は、細長い帯状に形成されている。ベースコネクタは、ベース側基板の長手方向の中間部に配置されている。一方、プラグコネクタは、プラグ側基板の長手方向の一端部に配置されている。この構成により、プラグコネクタとベースコネクタとが接続されることで、ベース側基板とプラグ側基板とは、それぞれの長手方向の向きが９０度異なるように延び、全体としてＴ字状に配置される。また、ベースコネクタおよびプラグコネクタは、液晶パネルと筐体との間の厚みの小さい空間に配置されるため、薄い形状に形成されている。このため、プラグコネクタにおいては、コンタクトは、プラグ側基板の表面の直ぐ上に配置されている。
【０００５】
ところで、プラグ側基板の細長く延びる縁部側を向くようにプラグコネクタを配置するとともに、この縁部の一部を切り欠いた状態とし、プラグ側基板を、ベースコネクタに対してプラグ側基板の長手方向と直交する方向（ベース側基板の長手方向）に変位させることで、プラグコネクタとベースコネクタとを手作業で接続する構成が考えられる。
【０００６】
一方で、プラグ側基板とベース側基板との接続作業を自動化するなどの要請に起因して、プラグ側基板の長手方向の中間部にプラグ側コネクタを配置し、プラグ側基板とベース側基板とを十字状となるように接続することが求められる場合がある。
【０００７】
この場合、上記のコネクタを用いるとすると、プラグ側基板の長手方向中間部に貫通孔を形成し、この貫通孔の周囲にプラグコネクタを配置することが考えられる。そして、この貫通孔にベースコネクタを挿入した後、ベースコネクタとプラグコネクタとをプラグ側基板の長手方向に相対変位させることで、両コネクタを互いに接続する。
【０００８】
しかしながら、このような構成では、ベースコネクタが挿入される貫通孔をプラグ側基板に形成した上でプラグ側基板の強度を確保するために、プラグ側基板の幅をより太くする必要がある。このため、プラグ側基板の幅が大きくなってしまい、プラグ側基板が大型化してしまう。
【０００９】
本発明は、上記実情に鑑みることにより、薄型で、且つ、基板の幅を細くでき、且つ、基板の強度を十分に確保できるプラグコネクタ、プラグコネクタユニット、および、コネクタ装置を提供することを目的とする。
【課題を解決するための手段】
【００１０】
（１）上記目的を達成するための本発明のある局面にかかるプラグコネクタは、プラグ側基板に実装された状態で、ベース側基板に実装されたベースコネクタに接続されるプラグコネクタであって、前記プラグ側基板に固定されるハウジングと、前記プラグ側基板に前記ハウジングが固定されたときに前記プラグ側基板が通過するための通過領域と、前記ハウジングに支持されるコンタクトと、を備え、前記コンタクトは、前記ベースコネクタのコンタクトに接触するための接触部を有し、前記接触部は、前記プラグコネクタにおける前記ベースコネクタと前記プラグコネクタとが向かい合う対向方向と直交する幅方向に関して、前記通過領域の外側に配置される。
【００１１】
この構成によると、コンタクトの接触部は、幅方向におけるプラグコネクタの通過領域の外側に配置される。このため、プラグ側基板の中央部は、コンタクトを避けるための貫通孔を形成される必要がない。このため、プラグ側基板について、強度を確保しつつ幅を細くできる。また、コンタクトの接触部は、プラグ側基板の側方に配置される。このため、当該接触部を、プラグ側基板の厚み方向においてプラグ側基板から突出することを抑制された状態で配置できる。これにより、プラグコネクタをより薄型にできる。以上の次第で、本発明によると、薄型で、且つ、基板の幅を細くでき、且つ、基板の強度を十分に確保できるプラグコネクタを提供できる。
【００１２】
（２）好ましくは、前記接触部は、前記通過領域と前記幅方向に沿って横並びに配置されている。
【００１３】
この構成によると、接触部は、プラグ側基板に対して、当該プラグ側基板の厚み方向に突出しないように配置される。これにより、プラグコネクタをより薄型にできる。
【００１４】
（３）好ましくは、前記ハウジングを前記プラグ側基板に固定するための固定部材をさらに備え、前記固定部材は、前記対向方向における前記ハウジングの両端部に設けられている。
【００１５】
この構成によると、通過領域を通過するように延びるプラグ側基板とハウジングとの間に作用する外力を、より安定した姿勢で固定部材が受けることができる。その結果、ハウジングとプラグ側基板との結合強度をより高くできる。
【００１６】
（４）好ましくは、前記ハウジングは、所定の介在部を有し、前記介在部は、前記プラグ側基板に前記ハウジングが固定されたときに前記プラグ側基板の縁部に沿って配置され、且つ、前記プラグコネクタの前記コンタクトのうち前記ハウジングから突出している部分および前記ベースコネクタのコンタクトの少なくとも一方と前記縁部との間に配置される。
【００１７】
この構成によると、介在部が設けられていることにより、対応するコンタクトと、プラグ側基板の縁部との間の沿面距離（表面に沿った距離）を、より長くできる。これにより、プラグ側基板の縁部に露出している導電部（導電層）と、コンタクトとの間でショートが生じることを、より確実に抑制することができる。
【００１８】
（５）本発明のある局面にかかるプラグコネクタユニットは、前記プラグコネクタと、前記プラグ側基板と、を備え、前記プラグ側基板は、前記対向方向に細長く延びる細長部を有し、前記細長部は、当該細長部のうち前記対向方向に沿って延びる縁部に切欠部が形成された切欠部領域を有し、この切欠部領域が、前記通過領域を通過するように配置されている。
【００１９】
この構成によると、プラグ側基板とプラグコネクタとを全体として幅方向により細くできるので、プラグコネクタユニットをより小型化できる。
【００２０】
（６）本発明のある局面にかかるコネクタ装置は、前記プラグコネクタと、前記ベースコネクタと、を備える。前記コネクタ装置は、前記ベースコネクタのハウジングに形成され、前記プラグコネクタの前記ハウジングおよび前記プラグ側基板の少なくとも一方を前記横方向に挟むように配置されるベース側挿入案内部と、前記プラグコネクタの前記ハウジングに形成され前記プラグ側基板を前記幅方向に挟むように配置されるプラグ側挿入案内部と、の少なくとも一方を有している。
【００２１】
この構成によると、ベースコネクタとプラグコネクタとを接続する際に、両コネクタの相対移動を、挿入案内部によって案内することができる。これにより、両コネクタの接続作業を、よりスムーズにできる。また、両コネクタの接続作業を自動化し易い。
【発明の効果】
【００２２】
本発明によると、薄型で、且つ、基板の幅を細くでき、且つ、基板の強度を十分に確保できるプラグコネクタを提供できる。
【図面の簡単な説明】
【００２３】
【図１】本発明の一実施形態にかかるコネクタ装置の斜視図である。
【図２】コネクタ装置の平面図である。
【図３】図２のＩＩＩ−ＩＩＩ線に沿う断面図である。
【図４】図２のＩＶ−ＩＶ線に沿う断面図である。
【図５】図２のＶ−Ｖ線に沿う断面図である。
【図６】ベースコネクタを前上から見た斜視図である。
【図７】ベースコネクタを後上から見た斜視図である。
【図８】ベースコネクタを後下から見た斜視図である。
【図９】ベースコネクタの平面図である。
【図１０】ベースコネクタの底面図である。
【図１１】ベースコネクタの正面図である。
【図１２】ベースコネクタの背面図である。
【図１３】プラグコネクタを前上から見た斜視図である。
【図１４】プラグコネクタを前下から見た斜視図である。
【図１５】プラグコネクタを後下から見た斜視図である。
【図１６】プラグコネクタの平面図である。
【図１７】プラグコネクタの底面図である。
【図１８】プラグコネクタの側面図である。
【図１９】プラグコネクタの正面図である。
【図２０】プラグコネクタの背面図である。
【図２１】コネクタ装置の組み立て作業について説明するための図である。
【図２２】コネクタ装置の組み立て作業について説明するための図である。
【図２３】コネクタ装置の組み立て作業について説明するための図である。
【図２４】本発明の一変形例にかかるコネクタ装置の斜視図であり、ベースコネクタおよびプラグコネクタのうちのベースコネクタ側から見た状態を示している。
【図２５】本発明の一変形例にかかるコネクタ装置の斜視図であり、ベースコネクタおよびプラグコネクタのうちのプラグコネクタ側から見た状態を示している。
【図２６】本発明の一変形例にかかるコネクタ装置の平面図である。
【図２７】本発明の一変形例にかかるコネクタ装置の一部断面側面図である。
【図２８】本発明の一変形例にかかるプラグコネクタユニットの断面図である。
【図２９】本発明の一変形例にかかるプラグコネクタの斜視図であり、プラグコンタクトの固定部側から見た状態を示している。
【図３０】本発明の一変形例にかかるプラグコネクタの斜視図であり、プラグコンタクトの接触部側から見た状態を示している。
【図３１】本発明の一変形例にかかるプラグコネクタの斜視図であり、プラグコンタクトの固定部側から見た状態を示している。
【図３２】プラグコネクタの底面図である。
【図３３】別の変形例を示す図である。
【発明を実施するための形態】
【００２４】
以下、本発明を実施するための形態について図面を参照しつつ説明する。尚、本発明は、プラグコネクタ、プラグコネクタユニット、および、コネクタ装置として、種々の用途に広く適用することができる。
【００２５】
図１は、本発明の一実施形態にかかるコネクタ装置１の斜視図である。図２は、コネクタ装置１の平面図である。図３は、図２のＩＩＩ−ＩＩＩ線に沿う断面図である。図４は、図２のＩＶ−ＩＶ線に沿う断面図である。図５は、図２のＶ−Ｖ線に沿う断面図である。
【００２６】
図１を参照して、コネクタ装置１は、たとえば、液晶表示装置の液晶パネルの背面に取り付けられて当該液晶パネルに光を当てるバックライト装置の一部を構成する。なお、コネクタ装置１は、液晶パネルのバックライト装置に限らず、種々の装置に適用することができる。
【００２７】
コネクタ装置１は、ベース側基板２およびベースコネクタ３を含むベースコネクタユニット４と、プラグ側基板５およびプラグコネクタ６を有するプラグコネクタユニット７と、を有している。
【００２８】
ベースコネクタユニット４は、たとえば、電源装置（図示せず）に接続され、プラグコネクタユニット７は、たとえば、負荷としてのＬＥＤ（Light Emitting Diode、発光素子）８を実装している。そして、ベースコネクタユニット４とプラグコネクタユニット７とが互いに接続されることで、ＬＥＤ８に電力を供給可能となる。
【００２９】
なお、以下では、プラグコネクタ６の幅方向Ｘ１を単に「幅方向Ｘ１」といい、プラグコネクタ６の幅方向Ｘ１と直交する長さ方向Ｙ１を単に「長さ方向Ｙ１」といい、幅方向Ｘ１及び長さ方向Ｙ１の双方に直交する厚み方向Ｚ１を単に「厚み方向Ｚ１」という。また、特に説明なき場合、ベースコネクタユニット４とプラグコネクタユニット７とが互いに接続された状態（図１に示す状態）を基準として説明する。
【００３０】
ベースコネクタユニット４のベース側基板２は、プリント基板であり、幅方向Ｘ１に細長く延びる矩形状に形成されている。ベース側基板２の表面に、ベースコネクタ３が実装されている。
【００３１】
図６は、ベースコネクタ３を前上から見た斜視図である。図７は、ベースコネクタ３を後上から見た斜視図である。図８は、ベースコネクタ３を後下から見た斜視図である。図９は、ベースコネクタ３の平面図である。図１０は、ベースコネクタ３の底面図である。図１１は、ベースコネクタ３の正面図である。図１２は、ベースコネクタ３の背面図である。
【００３２】
図１〜図１２を参照して、ベースコネクタ３は、プラグコネクタ６と電気的且つ機械的に接続されるコネクタとして設けられている。ベースコネクタ３は、プラグコネクタ６とは、長さ方向Ｙ１に向かい合った状態で、当該プラグコネクタ６に接続される。すなわち、長さ方向Ｙ１は、ベースコネクタ３とプラグコネクタ６とが対向する対向方向でもある。ベースコネクタ３は、全体として、扁平な（薄型の）小片状に形成されている。ベースコネクタ３は、幅方向Ｘ１に対称な形状に形成されている。
【００３３】
ベースコネクタ３は、ベースハウジング９と、ベースコンタクト１０と、を有している。
【００３４】
ベースハウジング９は、合成樹脂を用いて形成された一体成形品であり、絶縁部材である。ベースハウジング９は、ベースコンタクト１０を保持している。ベースハウジング９は、正面視において、略Ｕ字状に形成されている。
【００３５】
ベースハウジング９は、幅方向Ｘ１における一対の端部１１Ａ，１１Ｂと、中間部１２と、を有している。各端部１１Ａ，１１Ｂは、ベースコンタクト１０を収容する部分として設けられている。端部１１Ａ，１１Ｂは、幅方向Ｘ１に対称な形状に形成されている。各端部１１Ａ，１１Ｂは、長さ方向Ｙ１に延びる略四角柱状に形成されており、長さ方向Ｙ１に延びる貫通孔が形成されている。また、各端部１１Ａ，１１Ｂは、厚み方向Ｚ１の一方側（ベース側基板２側）に開放されている。各端部１１Ａ，１１Ｂの厚み（厚み方向Ｚ１の長さ）は、中間部１２の厚みよりも大きく設定されている。また、各端部１１Ａ，１１Ｂは、中間部１２に対して厚み方向Ｚ１の他方側（ベース側基板２から遠ざかる方向）に突出している。一対の端部１１Ａ，１１Ｂの間に、中間部１２が配置されている。
【００３６】
中間部１２は、所定の厚みを有する平板状に形成されている。中間部１２は、プラグコネクタユニット７の後述するプラグ側基板５を受ける部分として設けられている。中間部１２と、一対の端部１１Ａ，１１Ｂとで、Ｕ字状部分としての、ベース側挿入案内部１３が形成されている。
【００３７】
ベース側挿入案内部１３は、プラグコネクタユニット７のプラグ側基板５および後述するプラグハウジング３１の少なくとも一方（本実施形態では、双方）を幅方向Ｘ１に挟むように配置される部分である。ベース側挿入案内部１３は、長さ方向Ｙ１に真っ直ぐに延びており、プラグ側基板５およびプラグコネクタ６のプラグハウジング３１の中間部３５（後述）が長さ方向Ｙ１に沿って挿入されることで、これらプラグコネクタ６およびプラグ側基板５をスムーズにベースコネクタ３に接続させる。ベース側挿入案内部１３は、長さ方向Ｙ１の両側に開放されているとともに、厚み方向Ｚ１の他方に開放されている。
【００３８】
また、長さ方向Ｙ１におけるベースハウジング９の一端部には、傾斜状部１４が形成されている。この傾斜状部１４は、長さ方向Ｙ１に沿ってプラグコネクタ６から遠ざかるに従い、ベース側基板２からの距離が遠ざかるように傾斜している。この傾斜状部１４は、プラグコネクタ６をベースコネクタ３に接続する際にベースコネクタ３に接触することで、各コネクタ３，６の互いの接続動作をスムーズにする。このベースハウジング９においては、幅方向Ｘ１の両端部１１Ａ，１１Ｂに、ベースコンタクト１０が配置されている。
【００３９】
各端部１１Ａ，１１Ｂにおけるベースコンタクト１０の構成は同一である。ベースコンタクト１０は、表面にめっき層が形成された金属材料に打ち抜き加工および曲げ加工などを施すことで形成された導電部材であり、一体成形品である。ベースコンタクト１０は、長さ方向Ｙ１に細長い形状に形成されている。
【００４０】
図３、図１１および図１２によく示されているように、ベースコンタクト１０は、底壁部１５と、側壁部１６と、天壁部１７と、弾性片部１８と、を有している。
【００４１】
底壁部１５は、細長い矩形状の部分であり、対応する端部１１Ａ，１１Ｂのうち厚み方向Ｚ１における開口部に配置されている。底壁部１５は、ベース側基板２に、はんだ（図示せず）などによって固定されている。幅方向Ｘ１における底壁部１５の両端部から、側壁部１６が延びている。側壁部１６は、幅方向Ｘ１と直交して延びる部分であり、対応する端部１１Ａ，１１Ｂの内側面に固定されている。各側壁部１６から、天壁部１７が延びている。天壁部１７は、底壁部１５と平行に延びる部分である。底壁部１５は、弾性片部１８と協働して、プラグコネクタ６の後述するプラグハウジング３１を挟むように構成されている。
【００４２】
弾性片部１８は、弾性変形可能な部分として設けられている。弾性片部１８は、長さ方向Ｙ１における底壁部１５の一端部から延びており、側面視で略Ｊ字状に形成されている。弾性片部１８のうち、底壁部１５との接続部分である基端部は、ベースハウジング９の対応する端部１１Ａ，１１Ｂからプラグコネクタ６側に露出している。
【００４３】
また、弾性片部１８の中間部は、対応する端部１１Ａ，１１Ｂ内において、長さ方向Ｙ１に延びており、弾性片部１８の基端部から遠ざかるにしたがい天壁部１７側に近づく形状に形成されている。弾性片部１８の先端部は、対応する端部１１Ａ，１１Ｂから突出しており、操作部１９を有している。操作部１９は、作業員またはロボットアームなどによって押される部分として設けられている。操作部１９が押し下げられることで、弾性片部１８の中間部（接触部２３）と天壁部１７との距離を拡げ、ベースコンタクト１０が弾性片部１８の中間部と天壁部１７とで加圧された状態を解除できる。なお、弾性片部１８の中間部に形成された接触部２３は、対応するプラグコンタクト３３と接触するように構成されている。
【００４４】
以上が、ベースコネクタユニット４の概略構成である。次に、プラグコネクタユニット７のより具体的な構成を説明する。
【００４５】
図１および図３を参照して、前述したように、プラグコネクタユニット７は、プラグ側基板５と、プラグコネクタ６と、を有している。
【００４６】
プラグ側基板５は、プリント基板であり、長さ方向Ｙ１に細長く延びる矩形状の細長部として形成されている。プラグ側基板５には、たとえば、１または複数の複数のＬＥＤ８が実装されている。プラグ側基板５のうち、幅方向Ｘ１の両端に縁部２０Ａ，２０Ｂが形成されている。この、長さ方向Ｙ１に沿って延びる縁部２０Ａ，２０Ｂに、切欠部２１Ａ，２１Ｂが形成されている。すなわち、幅方向Ｘ１におけるプラグ側基板５の両端の縁部２０Ａ，２０Ｂに、切欠部２１Ａ，２１Ｂが形成されている。切欠部２１Ａ，２１Ｂは、長さ方向Ｙ１におけるプラグ側基板５の一部に形成されている。
【００４７】
切欠部２１Ａ，２１Ｂは、長さ方向Ｙ１に延びている。プラグ側基板５のうち、切欠部２１Ａ，２１Ｂが形成されている部分は、切欠部領域２２として規定されている。プラグ側基板５のうち、切欠部領域２２の横幅は、切欠部領域２２以外の部分の横幅よりも小さく設定されている。各切欠部２１Ａ，２１Ｂの幅（幅方向Ｘ１の長さ）は、プラグ側基板５の強度を十分に確保できる範囲で、適宜設置される。
【００４８】
本実施形態では、切欠部領域２２が、プラグコネクタ６の後述する通過領域４３を通過するように配置されている。なお、切欠部２１Ａ，２１Ｂは、幅方向Ｘ１におけるプラグ側基板５の一端にのみ形成されていてもよい。また、切欠部２１Ａ，２１Ｂは、形成されていなくてもよい。上記の構成を有するプラグ側基板５に、プラグコネクタ６が実装されている。
【００４９】
図１３は、プラグコネクタ６を前上から見た斜視図である。図１４は、プラグコネクタ６を前下から見た斜視図である。図１５は、プラグコネクタ３を後下から見た斜視図である。図１６は、プラグコネクタ３の平面図である。図１７は、プラグコネクタ３の底面図である。図１８は、プラグコネクタ３の側面図である。図１９は、プラグコネクタ３の正面図である。図２０は、プラグコネクタ３の背面図である。
【００５０】
図１〜図５、および、図１３〜図２０を参照して、プラグコネクタ６は、プラグ側基板５に実装された状態で、ベース側基板２に実装されたベースコネクタ３と電気的且つ機械的に接続されるコネクタとして設けられている。プラグコネクタ６は、全体として、扁平な（薄型の）小片状に形成されている。プラグコネクタ６は、幅方向Ｘ１に対称な形状に形成されている。プラグコネクタ６は、プラグ側基板５の切欠部領域２２を挟むように配置されており、このプラグ側基板５の表面に実装されている。
【００５１】
プラグコネクタ６は、プラグハウジング３１と、固定部材３２と、プラグコンタクト３３（３３Ａ，３３Ｂ）と、を有している。
【００５２】
プラグハウジング３１は、合成樹脂を用いて形成された一体成形品であり、絶縁部材である。プラグハウジング３１は、プラグコンタクト３３および固定部材３２を保持している。プラグハウジング３１は、平面視において、幅方向Ｘ１に細長い略矩形状の外形を有している。
【００５３】
プラグハウジング３１は、幅方向Ｘ１における一対の端部３４Ａ，３４Ｂと、中間部３５と、を有している。各端部３４Ａ，３４Ｂは、対応するプラグコンタクト３３Ａ，３３Ｂを保持する部分として設けられている。各端部３４Ａ，３４Ｂは、幅方向Ｘ１に対称な形状に形成されている。各端部３４Ａ，３４Ｂは、長さ方向Ｙ１に延びる形状に形成されている。
【００５４】
各端部３４Ａ，３４Ｂは、コンタクト保持部３６と、コンタクト保護部３７と、を有している。
【００５５】
コンタクト保持部３６は、プラグコンタクト３３を保持するために設けられた、略立方体状の部分である。コンタクト保持部３６は、長さ方向Ｙ１におけるプラグハウジング３１の一端（ベースコネクタ３から遠ざかる方向の先端）寄りに配置されている。図３によく示されているように、コンタクト保持部３６には、長さ方向Ｙ１に延びる保持孔３８が形成されている。保持孔３８には、対応するプラグコンタクト３３Ａ，３３Ｂが圧入固定されている。コンタクト保持部３６から長さ方向Ｙ１に沿って、コンタクト保護部３７が延びている。
【００５６】
再び図１〜図５および図１３〜図２０を参照して、コンタクト保護部３７は、対応するプラグコンタクト３３Ａ，３３Ｂの周囲に配置されて当該対応するプラグコンタクト３３Ａ，３３Ｂを保護する部分として設けられている。コンタクト保護部３７は、長さ方向Ｙ１に沿って延びる片状に形成されている。
【００５７】
コンタクト保護部３７は、コンタクト保持部３６から長さ方向Ｙ１の一方側（ベースコネクタ３側）に延びる第１部分４１と、コンタクト保持部３６から長さ方向Ｙ１の他方側に延びる第２部分４２と、を有している。
【００５８】
第１部分４１は、プラグコンタクト３３Ａ，３３Ｂの後述する接触部５３を保護するために設けられている。コンタクト保持部３６からの第１部分４１の突出量は、コンタクト保持部３６からのプラグコンタクト３３Ａ，３３Ｂの接触部５３の突出量よりも大きく設定されている。また、第１部分４１は、正面視においてＬ字状に形成されており、幅方向Ｘ１におけるプラグコンタクト３３Ａ，３３Ｂの外側、および、厚み方向Ｚ１におけるプラグコンタクト３３Ａ，３３Ｂの一方側に位置している。
【００５９】
上記の構成により、プラグコネクタ６が単品の状態において、異物がプラグコンタクト３３Ａ，３３Ｂの接触部５３に接触することを、第１部分４１によって抑制できる。本実施形態では、平面視において、プラグコンタクト３３Ａ，３３Ｂがプラグハウジング３１から露呈するように、第１部分４１が配置されている。
【００６０】
第２部分４２は、プラグコンタクト３３Ａ，３３Ｂの後述する固定部５５を保護するために設けられている。コンタクト保持部３６からの第２部分４２の突出量は、コンタクト保持部３６からのプラグコンタクト３３Ａ，３３Ｂの固定部５５の突出量よりも大きく設定されている。
【００６１】
また、第２部分４２は、背面視において矩形状に形成されており、幅方向Ｘ１におけるプラグコンタクト３３Ａ，３３Ｂの外側および、厚み方向Ｚ１におけるプラグコンタクト３３Ａ，３３Ｂの一方側に位置している。上記の構成により、プラグコネクタ６が単品の状態において、異物がプラグコンタクト３３Ａ，３３Ｂの固定部５５に接触することを、第２部分４２によって抑制できる。本実施形態では、平面視において、プラグコンタクト３３Ａ，３３Ｂがプラグハウジング３１から露呈するように、第２部分４２が配置されている。
【００６２】
上記の構成を有する一対の端部３４Ａ，３４Ｂの間に、中間部３５が配置されている。
【００６３】
中間部３５は、所定の厚みを有する平板状に形成されている。中間部３５は、厚み方向Ｚ１における各端部３４Ａ，３４Ｂの一端に接続されている。中間部３５は、プラグ側基板５の表面を受ける部分として設けられている。中間部３５と、一対の端部３４Ａ，３４Ｂのコンタクト保持部３６とで、通過領域４３が形成されている。
【００６４】
通過領域４３は、プラグ側基板５にプラグハウジング３１が固定されたときにプラグ側基板５が通過するための領域として設けられた、Ｕ字状部分である。通過領域４３には、プラグ側基板５の切欠部領域２２が嵌め入れられている。通過領域４３は、長さ方向Ｙ１に真っ直ぐに延びている。通過領域４３は、プラグハウジング３１において、長さ方向Ｙ１の両側に開放されているとともに、厚み方向Ｚ１の他方（ベース側基板２側）に開放されている。
【００６５】
この通過領域４３は、プラグ側挿入案内部４４でもある。プラグ側挿入案内部４４は、プラグハウジング３１の中間部３５および一対の端部３４Ａ，３４Ｂによって形成されており、プラグ側基板５の切欠部領域２２を挟むように配置されている。プラグ側挿入案内部４４は、長さ方向Ｙ１へのプラグ側基板５の挿入を案内する部分として設けられている。
【００６６】
また、中間部３５には、固定孔４５が形成されている。固定孔４５は、固定部材３２が固定される孔部であり、長さ方向Ｙ１における中間部３５の一端の縁部に形成されている。固定部材３２は、プラグコンタクト３３Ａ，３３Ｂの材料と同様の金属材料を用いて形成された小片状部材である。
【００６７】
固定部材３２は、固定孔４５に圧入固定されているとともに、はんだ（図示せず）などを用いてプラグ側基板５の表面に固定されている。これにより、プラグハウジング３１は、固定部材３２を介してプラグ側基板５に固定されている。中間部３５からは、固定部材３２のうち中間部３５から突出する部分を幅方向Ｘ１に挟むようにして、一対の保護部４６が突出している。各保護部４６は、小片状に形成されている。固定部材３２を幅方向Ｘ１に挟むようにして、一対のプラグコンタクト３３Ａ，３３Ｂが配置されている。
【００６８】
プラグコンタクト３３（３３Ａ，３３Ｂ）は、表面にめっき層が形成された金属材料に打ち抜き加工および曲げ加工などを施すことで形成された導電部材であり、一体成形品である。各端部３４Ａ，３４Ｂに、対応するプラグコンタクト３３Ａ，３３Ｂが配置されている。プラグコンタクト３３Ａ，３３Ｂは、幅方向Ｘ１に対称な形状を有している。各プラグコンタクト３３Ａ，３３Ｂは、長さ方向Ｙ１に細長い形状に形成されており、平面視においてＬ字状に形成されている。
【００６９】
各プラグコンタクト３３Ａ，３３Ｂは、第１部分５１と、第２部分５２（５２Ａ，５２Ｂ）と、を有している。
【００７０】
第１部分５１は、長さ方向Ｙ１に細長く延びる矩形状の部分である。第１部分５１の一部は、プラグハウジング３１の対応する保持孔３８を貫通しており、当該保持孔３８に圧入固定されている。第１部分５１の別の一部は、対応する保持孔３８から長さ方向Ｙ１の一方に突出しており、この突出している部分に、接触部５３が形成されている。
【００７１】
接触部５３は、対応するベースコンタクト１０の弾性片部１８に形成された接触部２３に接触するために設けられている。接触部５３は、長さ方向Ｙ１（ベースコネクタ３とプラグコネクタ６とが向かい合う対向方向）と直交する幅方向Ｘ１に関して、通過領域４３の外側に配置されている。
【００７２】
より具体的には、通過領域４３は、幅方向Ｘ１におけるプラグハウジング３１の中央側に配置されており、接触部５３は、幅方向Ｘ１におけるプラグハウジング３１の端部寄りに配置されている。本実施形態では、２つの接触部５３の間に、通過領域４３が形成されている。このため、各接触部５３は、通過領域４３とは長さ方向Ｙ１に沿って横並びに配置されている。換言すれば、各接触部５３と通過領域４３とは、厚み方向Ｚ１の位置が揃えられている。上記の構成を有する第１部分５１の基端部は、側面視（図３参照）でＳ字状の連結部５４を介して、第２部分５２に連続している。
【００７３】
第２部分５２は、当該第２部分５２の一端から幅方向Ｘ１に沿ってプラグハウジング３１の中央側に向けて延びる矩形状の部分である。第２部分４２の先端側部分は、固定部５５を有している。固定部５５は、はんだ（図示せず）などを用いてプラグ側基板５の表面の導電部に固定されている。これにより、プラグハウジング３１とプラグ側基板５と電気的に接続されている。
【００７４】
この構成により、プラグハウジング３１は、プラグコンタクト３３Ａ，３３Ｂを介してプラグ側基板５に固定されている。すなわち、プラグコンタクト３３Ａ，３３Ｂは、「プラグハウジング３１をプラグ側基板５に固定するための固定部材」としても用いられる。そして、固定部５５および固定部材３２は、長さ方向Ｙ１にけるプラグハウジング３１の両端部に配置されている。
【００７５】
また、プラグコンタクト３３Ａ，３３Ｂの固定部５５は、幅方向Ｘ１において、プラグコネクタ６の中央部からずれた位置に設置されている。一方、固定部材３２は、幅方向Ｘ１において、プラグコネクタ６の中央部に設置されている。
【００７６】
これら固定部５５と固定部材３２との協働により、プラグハウジング３１がプラグ側基板５に３点支持の状態で固定されている。また、第２部分５２は、一対のコンタクト保護部３７の第２部分４２の間に配置されている。また、第２部分４２（固定部５５）は、幅方向Ｘ１に延びており、また、厚み方向Ｚ１に延びるＳ字状の連結部５４を介して第１部分５１（接触部５３）に連結されている。
【００７７】
この構成により、固定部５５は、プラグ側基板５の表面上に配置され、接触部５３は、プラグ側基板５と幅方向Ｘ１に横並びに配置される。このように、プラグコンタクト３３Ａ，３３Ｂを平面視でＬ字状にするとともに厚み方向Ｚ１の位置が異なる部分を有する形状とすることで、プラグ側基板５上に配置される固定部５５と、プラグ側基板５の真横に配置される接触部５３と、を有する構成を簡易に実現できる。
【００７８】
以上が、プラグコネクタユニット７の概略構成である。次に、コネクタ装置１の組み立て作業について説明する。
【００７９】
コネクタ装置１の組み立てに際しては、まず、図２１に示すように、プラグコネクタ６の通過領域４３にプラグ側基板５の切欠部領域２２を嵌める。そして、図２２に示すように、プラグコネクタ６の固定部材３２および固定部５５を、はんだなどによってプラグ側基板５の表面に固定する。これにより、プラグコネクタユニット７が完成する。
【００８０】
次に、ベースコネクタ３をベース側基板２に実装する。具体的には、ベースコンタクト１０の底壁部１５を、はんだなどによってベース側基板２の表面に固定する。これにより、ベースコネクタユニット４が完成する。次に、プラグコネクタ６とベースコネクタ３とを接続する。具体的には、切欠部領域２２をベース側挿入案内部１３に向かい合わせ、次いで、図２３に示すように、プラグ側基板５の切欠部領域２２を、ベースコネクタ３のベース側挿入案内部１３に嵌め込む。
【００８１】
次に、プラグコネクタユニット７を、長さ方向Ｙ１（プラグ側基板５の長手方向）に沿ってベースコネクタ３側に変位させる。これにより、プラグコネクタユニット７のプラグハウジング３１の中間部３５およびプラグ側基板５は、ベースコネクタ３のベース側挿入案内部１３に案内（挿入）されて長さ方向Ｙ１に真っ直ぐに変位する。
【００８２】
その結果、図１および図３に示すように、各プラグコンタクト３３Ａ，３３Ｂの接触部５３は、対応するベースコンタクト１０の接触部２３と天壁部１７との間に挿入される。これにより、ベースコンタクト１０の弾性片部１８は弾性変形し、接触部５３側へ向かう弾性反発力を生じる。したがって、各プラグコンタクト３３の接触部５３は、対応するベースコンタクト１０に所定の荷重で挟まれる。これにより、両コンタクト１０，３３の電気的な接続が達成される。
【００８３】
このとき、ベースハウジング９が、プラグハウジング３１のコンタクト保持部３６の一側面（ストッパ２４）に受けられることで、両コンタクト１０，３３が位置決めされる。また、プラグハウジング３１のコンタクト保護部３７は、ベースハウジング９の一対の端部１１Ａ，１１Ｂを幅方向Ｘ１に挟むように配置される。以上のように、プラグ側基板５は、プラグハウジング３１のくぼみ状の通過領域４３に嵌められるとともに、ベースハウジング９のベース側挿入案内部１３に嵌められる。よって、プラグ側基板５を、ベース側基板２の極めて近くに配置できるので、コネクタ装置１は、厚み方向Ｚ１に極めて薄い形状となる。
【００８４】
なお、ベースコネクタ３をプラグコネクタ６から取り外す際には、ロボットまたは作業員が、各ベースコネクタ３の操作部１９を押し下げる。これにより、弾性片部１８による、プラグコネクタ６の接触部５３への加圧が解除される。この状態で、プラグコネクタ６は、長さ方向Ｙ１に沿ってベースコネクタ３から引き抜かれる。
【００８５】
以上説明したように、本実施形態にかかるコネクタ装置１によると、プラグコンタクト３３Ａ，３３Ｂの接触部５３は、幅方向Ｘ１におけるプラグコネクタ６の通過領域４３の外側に配置される。このため、プラグ側基板５の中央部は、プラグコンタクト３３Ａ，３３Ｂを避けるように貫通孔を形成される必要がない。このため、プラグ側基板５について、強度を確保しつつ幅を細くできる。また、プラグコンタクト３３Ａ，３３Ｂの接触部５３は、プラグ側基板５の側方に配置される。このため、当該接触部５３を、プラグ側基板５の厚み方向Ｚ１においてプラグ側基板５から突出することを抑制された状態で配置できる。これにより、プラグコネクタ６をより薄型にできる。以上の次第で、薄型で、且つ、プラグ側基板５の幅を細くでき、且つ、プラグ側基板５の強度を十分に確保できるプラグコネクタ６を実現できる。
【００８６】
また、コネクタ装置１によると、プラグコンタクト３３Ａ，３３Ｂの接触部５３は、プラグハウジング３１の通過領域４３と幅方向Ｘ１に横並びに配置されている。この構成によると、プラグコンタクト３３Ａ，３３Ｂの接触部５３は、プラグ側基板５に対して、プラグ側基板５の厚み方向Ｚ１に突出しないように配置される。これにより、プラグコネクタ６をより薄型にできる。
【００８７】
また、コネクタ装置１によると、プラグコンタクト３３Ａ，３３Ｂの固定部５５および固定部材３２は、長さ方向Ｙ１におけるプラグハウジング３１の両端部に設けられている。この構成によると、通過領域４３を通過するように延びるプラグ側基板５とプラグハウジング３１との間に作用する外力を、より安定した姿勢で固定部５５および固定部材３２が受けることができる。その結果、プラグハウジング３１とプラグ側基板５との結合強度をより高くできる。
【００８８】
また、プラグコネクタユニット７によると、プラグ側基板５の切欠部領域２２が、プラグハウジング３１の通過領域４３を通過するように配置されている。この構成によると、プラグ側基板５とプラグコネクタ６とを全体として幅方向Ｘ１により細くできるので、プラグコネクタユニット７をより小型化できる。
【００８９】
また、コネクタ装置１によると、ベース側挿入案内部１３およびプラグ側挿入案内部４４が設けられている。この構成によると、ベースコネクタ３とプラグコネクタ６とを接続する際に、両コネクタ３，６の相対移動を、各挿入案内部１３，４４によって案内することができる。これにより、両コネクタ３，６の接続作業を、よりスムーズにできる。また、両コネクタ３，６の接続作業を自動化し易い。
【００９０】
以上、本発明の実施形態について説明したけれども、本発明は上述の各実施形態に限られず、特許請求の範囲に記載した限りにおいて様々な変更が可能である。たとえば、次のように変更して実施してもよい。
【００９１】
（１）たとえば、上述の実施形態では、プラグ側基板５の縁部２０Ａ，２０Ｂは、それぞれ絶縁処理を施されておらず、各縁部２０Ａ，２０Ｂの側面において、プラグ側基板５内の導電部がプラグ側基板５の外部に露呈していた。そして、プラグコンタクト３３Ａ，３３Ｂのうちプラグハウジング３１から突出している部分（接触部５３および固定部５５）と、プラグ側基板５の対応する縁部２０Ａ，２０Ｂとが直接的に向かい合うように配置されていた。しかしながら、この通りでなくてもよい。以下、具体的に説明する。なお、以下では、上述の実施形態と異なる点について主に説明し、同様の構成には図に同様の符号を付して詳細な説明は省略する。
【００９２】
図２４は、本発明の一変形例にかかるコネクタ装置１の斜視図であり、ベースコネクタ３およびプラグコネクタ６のうちのベースコネクタ３側から見た状態を示している。図２５は、本発明の一変形例にかかるコネクタ装置１の斜視図であり、ベースコネクタ３およびプラグコネクタ６のうちのプラグコネクタ６側から見た状態を示している。図２６は、本発明の一変形例にかかるコネクタ装置１の平面図である。図２７は、本発明の一変形例にかかるコネクタ装置１の一部断面側面図である。図２８は、本発明の一変形例にかかるプラグコネクタユニット７の断面図である。図２９は、本発明の一変形例にかかるプラグコネクタ６の斜視図であり、プラグコンタクト３３の固定部５５ａ側から見た状態を示している。図３０は、本発明の一変形例にかかるプラグコネクタ６の斜視図であり、プラグコンタクト３３の接触部５３側から見た状態を示している。図３１は、本発明の一変形例にかかるプラグコネクタ６の斜視図であり、プラグコンタクト３３の固定部５５ａ側から見た状態を示している。図３２は、プラグコネクタ６の底面図である。
【００９３】
図２４〜図３１を参照して、本変形例では、プラグコネクタ３のプラグハウジング３１は、介在部８０を有している。
【００９４】
介在部８０は、プラグ側基板５にプラグハウジング３１が固定されたときにプラグ側基板５の縁部２０に沿って配置され、且つ、プラグコネクタ６のプラグコンタクト３３Ａ，３３Ｂのうちプラグハウジング３１から突出している部分（固定部５５ａ，５５ａおよび接触部５３，５３）と対応する縁部２０Ａ，２０Ｂとの間に配置される。これにより、介在部８０は、プラグ側基板５の縁部２０Ａ，２０Ｂと対応するプラグコンタクト３３Ａ，３３Ｂとの間の沿面距離（物体表面に沿った距離）をより長くするための沿面距離確保部として機能する。介在部８０は、プラグハウジング３１の一部として設けられている。
【００９５】
介在部８０は、第１介在部８１（８１Ａ，８１Ｂ）と、第２介在部８２（８２Ａ，８２Ｂ）と、を有している。第１介在部８１および第２介在部８２は、長さ方向Ｙ１における介在部８０の全域に亘って形成されている。
【００９６】
第１介在部８１Ａ，８１Ｂは、ベース側基板２の各縁部２０Ａ，２０Ｂと、対応するプラグコンタクト３３Ａ，３３Ｂの固定部５５ａ，５５ａとの間に配置される部分として設けられている。各固定部５５ａ，５５ａは、背面視において、クランク形状に形成されている。各固定部５５ａ，５５ａのうち、プラグコンタクト３３の連結部５４に連続している基端側部分に対して、先端側部分が、厚み方向Ｚ１に沿ってプラグ側基板５寄りに配置されている。第１介在部８１Ａ，８１Ｂは、これら基端側部分と先端側部分との境界部８３に配置されている。
【００９７】
第１介在部８１Ａ，８１Ｂは、プラグハウジング３１の中間部３５から、幅方向Ｘ１における通過領域４３の両端部に沿って、長さ方向Ｙ１の一方に延びている。第１介在部８１Ａ，８１Ｂは、対応するプラグコンタクト３３Ａ，３３Ｂの固定部５５ａ，５５ａの境界部８３とプラグ側基板５との間に延びている。本実施形態では、各第１介在部８１Ａ，８１Ｂは、中間部３５に片持ち支持された梁状の小片部である。第１介在部８１Ａ，８１Ｂの先端部は、プラグ側基板５の切欠部領域２２における縁部２０Ａ，２０Ｂのうちの長さ方向Ｙ１の一端部２０ａに隣接している。なお、第１介在部８１Ａ，８１Ｂの先端部は、一端部２０ａに受けられてもよい。この場合、長さ方向Ｙ１において、プラグ側基板５に対するプラグコネクタ６の位置決めとして第１介在部８１Ａ，８１Ｂを用いることができる。
【００９８】
各第１介在部８１Ａ，８１Ｂは、長さ方向Ｙ１において、境界部８３の全域と厚み方向Ｚ１に対向している。すなわち、各第１介在部８１Ａ，８１Ｂは、対応する境界部８３と対応する縁部２０Ａ，２０Ｂとの間に配置されている。
【００９９】
各第１介在部８１Ａ，８１Ｂは、背面視で略Ｔ字状に形成されている。第１介在部８１は、第１対向部８５と、第２対向部８６と、を有している。第１対向部８５は、プラグ側基板５の縁部２０Ａ，２０Ｂと、厚み方向Ｚ１に向かい合うように配置されており、本実施形態では、このプラグ側基板５の一側面に接触している。
【０１００】
各第２対向部８６は、プラグ側基板５の対応する縁部２０Ａ，２０Ｂと幅方向Ｘ１に向かい合うように配置されており、本実施形態では、対応する縁部２０Ａ，２０Ｂとは離隔している。なお、各第２対向部８６と対応する縁部２０Ａ，２０Ｂとは、互いに接触していてもよい。また、厚み方向Ｚ１において、各第２対向部８６は、対応する縁部２０Ａ，２０Ｂと全域に亘って対向している。上記の構成を有する第１介在部８１とは長さ方向Ｙ１に並ぶようにして、第２介在部８２が配置されている。
【０１０１】
第２介在部８２は、プラグ側基板５の縁部２０Ａ，２０Ｂと、対応するプラグコンタクト３３Ａ，３３Ｂの接触部５３との間に配置される部分として設けられている。本実施形態では、各第２介在部８２Ａ，８２Ｂは、プラグハウジング３１の対応する保護部４６Ａ，４６Ｂに設けられている。各第２介在部８２Ａ，８２Ｂは、対応する保護部４６Ａ，４６Ｂのうち、プラグ側基板５を向く一側面からプラグ側基板５の対応する縁部２０Ａ，２０Ｂ側に向けて突出する小片状に形成されている。各第２介在部８２Ａ，８２Ｂは、プラグハウジング３１の対応する保護部４６Ａ，４６Ｂの先端側部分から、幅方向Ｘ１における通過領域４３の両端部に沿って長さ方向Ｙ１に沿って延びている。本実施形態では、各第２介在部８２Ａ，８２Ｂは、長さ方向Ｙ１における対応する保護部４６Ａ，４６Ｂの先端側に配置されている。
【０１０２】
各第２介在部８２Ａ，８２Ｂは、厚み方向Ｚ１において、対応する縁部２０Ａ，２０Ｂの少なくとも一部（本実施形態では、約半分の部分）に亘って、延びており、対応する縁部２０Ａ，２０Ｂと幅方向Ｘ１に向かい合っている。本実施形態では、各第２介在部８２Ａ，８２Ｂは、対応するプラグコンタクト３３Ａ，３３Ｂの接触部５３の先端側部分と向かい合っている。
【０１０３】
コネクタ装置１において、第２介在部８２Ａ，８２Ｂは、対応する縁部２０Ａ，２０Ｂとベースコネクタ３の対応するベースコンタクト１０，１０との間に配置されており、当該ベースコンタクト１０，１０と縁部２０Ａ，２０Ｂとの間の沿面距離も確保するように構成されている。
【０１０４】
以上の次第で、本変形例によると、介在部８０が設けられている。これにより、プラグコンタクト３３Ａ，３３Ｂのうちプラグハウジング３１から突出している固定部５５ａおよび接触部５３と、プラグ側基板５の対応する縁部２０Ａ，２０Ｂとの間の沿面距離（表面に沿った距離）に加えて、各ベースコンタクト１０，１０と対応する縁部２０Ａ，２０Ｂとの間の沿面距離を、より長くできる。これにより、プラグ側基板５の縁部２０に露出している導電部（導電層）と、プラグコンタクト３３およびベースコンタクト１０との間でショートが生じることを、より確実に抑制することができる。
【０１０５】
なお、上記の変形例において、第２介在部８２は、長さ方向Ｙ１における縁部２０Ａ，２０Ｂの他端部２０ｂに受けられるように長さ方向Ｙ１に延びていてもよい。また、各縁部２０Ａ，２０Ｂは、プラグコンタクト３３Ａ，３３Ｂのうちの固定部５５ａおよび接触部５３と、ベースコンタクト１０と、の何れかと向かい合っていなくてもよい。
【０１０６】
（２）また、上述の一実施形態および一変形例では、固定部材３２が設けられる形態を例に説明した。しかしながら、この通りでなくてもよい。たとえば、図３３に示すように、固定部材３２は、設けられていなくてもよい。
【０１０７】
（３）また、たとえば、上述の一実施形態および一変形例では、幅方向Ｘ１におけるプラグ側基板５の両側方にプラグコンタクト３３の接触部５３が配置される形態を例に説明した。しかしながら、この通りでなくてもよい。たとえば、幅方向Ｘ１におけるプラグ側基板５の一方の側部にのみ、プラグコンタクト３３の接触部５３が配置されてもよい。この場合、一対のプラグコンタクト３３（３３Ａ，３３Ｂ）のうちの一方が省略される。また、幅方向Ｘ１におけるプラグ側基板５の一方の側部にのみプラグコンタクト３３（３３Ａ，３３Ｂ）の接触部５３が配置される場合、当該一方の側部に複数の接触部５３が配置されてもよい。この場合、厚み方向Ｚ１に並ぶように複数のプラグコンタクト３３が配置される。
【０１０８】
（４）また、上述の一実施形態および一変形例では、プラグコネクタ６が２極のコンタクトである形態を例に説明した。しかしながら、この通りでなくてもよい。たとえば、プラグコネクタは、１極のコネクタでもよいし、３極以上のコネクタであってもよい。
【０１０９】
（５）また、上述の一実施形態および一変形例では、ベース側挿入案内部１３およびプラグ側挿入案内部４４の双方が設けられる形態を例に説明したけれども、この通りでなくてもよい。たとえば、ベース側挿入案内部１３およびプラグ側挿入案内部４４の一方または双方が省略されてもよい。
【０１１０】
（６）また、上述の一実施形態および一変形例では、ベース側基板２とプラグ側基板５とがプラグ側基板５の長手方向（長さ方向Ｙ１）に沿って相対変位することで、両コネクタ３，６が接続される形態を例に説明した。しかしながら、この通りでなくてもよい。たとえば、ベース側基板２とプラグ側基板５とがベース側基板２の長手方向（幅方向Ｘ１）に沿って相対変位することで、両コネクタ３，６が接続されてもよい。
【産業上の利用可能性】
【０１１１】
本発明は、プラグコネクタ、プラグコネクタユニット、および、コネクタ装置として、広く適用することができる。
【符号の説明】
【０１１２】
１  コネクタ装置
２  ベース側基板
３  ベースコネクタ
５  プラグ側基板（細長部）
６  プラグコネクタ
７  プラグコネクタユニット
９  ベースハウジング（ベースコネクタのハウジング）
１０  ベースコンタクト（ベースコネクタのコンタクト）
１３  ベース側挿入案内部
２０  縁部
２１  切欠部
２２  切欠部領域（切欠部が形成された部分）
３１  プラグハウジング（ハウジング）
３２  固定部材
３３  プラグコンタクト（コンタクト、固定部材）
４３  通過領域
４４  プラグ側挿入案内部
５３  接触部
８０  介在部
Ｘ１  幅方向
Ｙ１  長さ方向（ベースコネクタとプラグコネクタとが向かい合う対向方向）
【図１】
0006564286.tif 000002
【図２】
0006564286.tif 000003
【図３】
0006564286.tif 000004
【図４】
0006564286.tif 000005
【図５】
0006564286.tif 000006
【図６】
0006564286.tif 000007
【図７】
0006564286.tif 000008
【図８】
0006564286.tif 000009
【図９】
0006564286.tif 000010
【図１０】
0006564286.tif 000011
【図１１】
0006564286.tif 000012
【図１２】
0006564286.tif 000013
【図１３】
0006564286.tif 000014
【図１４】
0006564286.tif 000015
【図１５】
0006564286.tif 000016
【図１６】
0006564286.tif 000017
【図１７】
0006564286.tif 000018
【図１８】
0006564286.tif 000019
【図１９】
0006564286.tif 000020
【図２０】
0006564286.tif 000021
【図２１】
0006564286.tif 000022
【図２２】
0006564286.tif 000023
【図２３】
0006564286.tif 000024
【図２４】
0006564286.tif 000025
【図２５】
0006564286.tif 000026
【図２６】
0006564286.tif 000027
【図２７】
0006564286.tif 000028
【図２８】
0006564286.tif 000029
【図２９】
0006564286.tif 000030
【図３０】
0006564286.tif 000031
【図３１】
0006564286.tif 000032
【図３２】
0006564286.tif 000033
【図３３】
0006564286.tif 000034